(57)【要約】【課題】近年の液晶テレビの大型化により、バックライトとして使用する冷陰極蛍光放電管も合わせて長尺化し、アースとの浮遊容量が増えるなどのでインバータへの負担が増し、位相ズレなどを生じて表示品質が低下する問題点を生じていた。【解決手段】本発明により、冷陰極蛍光放電管１の一方の端子である第一端子１ａには第一のインバータ３を接続し、他方の端子である第二端子１ｂには第一のインバータにより逆位相の同一周波数として駆動される第二のインバータ４を接続し、冷陰極蛍光放電管１を点灯して成る冷陰極蛍光放電管点灯装置であって、第一のインバータと第二のインバータとの出力端子とアース間には、冷陰極蛍光放電管の長さに応じて生じる位相遅れを補償するコンデンサ５が接続されていることを特徴とする冷陰極蛍光放電管点灯装置２とすることで、明暗差をなくして課題を解決するものである。【選択図】図１
2007242360.tif 000002
【特許請求の範囲】
【請求項１】
冷陰極蛍光放電管の一方の端子である第一端子には第一のインバータを接続し、他方の端子である第二端子には前記第一のインバータにより逆位相の同一周波数として駆動される第二のインバータを接続し、前記冷陰極蛍光放電管を点灯して成る冷陰極蛍光放電管点灯装置であって、前記第一のインバータと第二のインバータとの出力端子とアース間には、前記冷陰極蛍光放電管の長さに応じて生じる位相遅れを補償するコンデンサが接続されていることを特徴とする冷陰極蛍光放電管点灯装置。
【発明の詳細な説明】
【技術分野】
【０００１】
本発明は、液晶テレビ、或いは、パーソナルコンピュータのモニタなど液晶で表示が行われる表示装置のバックライト光源用などとして用いられる冷陰極蛍光放電管（ＣＣＦＬ）に関するものであり、詳細には前記冷陰極蛍光放電管の点灯装置に係るものである。
【背景技術】
【０００２】
従来の、この種、冷陰極蛍光放電管用の点灯装置９０の構成の例を示すものが図５、および、図６であり、まず、図５の回路図に示すように、照明を目的とする液晶（図示せず）の背面には冷陰極蛍光放電管９１が、照明に必要な複数が並列に並べられている。
【０００３】
そして、夫々の冷陰極蛍光放電管９１の両端に設けられる一方である第一端子９１ａには、第一のインバータ９２ａが接続されていて、前記冷陰極蛍光放電管９１の第一端子９１ａに対して交流電圧を印加している。また、他方の端子である第二端子９１ｂにも、前記第一のインバータ９２ａとほぼ同様な構成とした第二のインバータ９２ｂが接続され、同じ周波数の交流電圧を印加するものとされている。尚、実際には前記冷陰極蛍光放電管９１は、左右対称の構成であり、第一端子９１ａ、第二端子９１ｂの区別はないが、ここでは、図面の上側にあるものを第一端子９１ａとして説明する。
【０００４】
このときに、前記第一のインバータ９２ａと第二のインバータ９２ｂとは、同期線９３で接続されており、上記したように同じ周波数を前記冷陰極蛍光放電管９１に対して供給すると共に、図６に示すように、第一端子９１ａに印加される電圧ＯＶ１と、第二端子９１ｂに印加される電圧ＯＶ２とが逆相となるようされている。尚、第一のインバータ９２ａと第二のインバータ９２ｂについても図面の上側にあるものを第一のインバータ９２ａとして説明している。
【特許文献１】特開２００３−２２９２９３号公報
【発明の開示】
【発明が解決しようとする課題】
【０００５】
しかしながら、近年の製造技術の進歩に伴い、例えば６０型液晶テレビの出現など液晶自体の大型化が顕著であり、それに伴い、前記冷陰極蛍光放電管９１の長さもこれに応じて長尺化せざるを得ないものとなり、よって、前記冷陰極蛍光放電管９１の第一端子９１ａ、第二端子９１ｂ間に印加する電圧も高圧化せざるを得ないものとなっている。
【０００６】
従って、第一のインバータ９２ａと第二のインバータ９２ｂとに内蔵されるステップアップトランスの１次巻線と２次巻線との巻数比を大きくして高圧化を図るなどの手段を採用せざるを得ないものとなるが、２次巻線側の負荷の影響が大きくなり、第一のインバータ９２ａの出力と、第二のインバータ９２ｂの出力との間に、位相のズレを生じ、また、前記冷陰極蛍光放電管９１の左右の端子にも電圧の差を生じるなどして、結果として液晶テレビ画面にも明るさのムラを生じるという問題点があった。
【課題を解決するための手段】
【０００７】
本発明は、上記した従来の課題を解決するための具体的手段として、冷陰極蛍光放電管の一方の端子である第一端子には第一のインバータを接続し、他方の端子である第二端子には前記第一のインバータにより逆位相の同一周波数として駆動される第二のインバータを接続し、前記冷陰極蛍光放電管を点灯して成る冷陰極蛍光放電管点灯装置であって、前記第一のインバータと第二のインバータとの出力端子とアース間には、前記冷陰極蛍光放電管の長さに応じて生じる位相遅れを補償するコンデンサが接続されていることを特徴とする冷陰極蛍光放電管点灯装置、を提供することで、主インバータの出力と副インバータの出力、即ち、冷陰極蛍光放電管の両端の端子に正確な逆位相の電圧が印加されるようにして、課題を解決するものである。
【発明の効果】
【０００８】
本発明により、冷陰極蛍光放電管に長尺化が要求され、その長尺化に応じるためにインバータの二次巻線の巻数が増えたことで、負荷の増加などにより生じる位相遅れを、出力−アース間にコンデンサを接続することで、位相ズレの生じる量を減少させ、冷陰極蛍光放電管に規定の電圧が印加されるものとして、液晶表示器面に生じる輝度ムラを防止するという効果を奏するものとなる。
【発明を実施するための最良の形態】
【０００９】
つぎに、本発明を図に示す実施形態に基づいて詳細に説明する。図１に符号１で示すものは直管型の冷陰極蛍光放電管であり、この冷陰極蛍光放電管１には、両端に端子が設けられる構成とされているが、従来例の説明に倣い図面向かって右側に存在するものを第一端子１ａ、左側に存在するものを第二端子１ｂとして説明を行う。
【００１０】
そして、第一端子１ａには、前記冷陰極蛍光放電管１の点灯装置２である第一のインバータ３の出力が接続され、第二端子１ｂには、前記第一のインバータ３とほぼ同様な構成とし、同一周波数であり、且つ、逆位相とされた第二のインバータ４の出力が接続されているものでる点は、従来例のものとほぼ同様な構成である。また、上記でも説明したように前記冷陰極蛍光放電管１の長さＬは、この冷陰極蛍光放電管１が照明を目的とする液晶表示装置の大きさに応じて各種のものがあることも従来例と同様である。
【００１１】
ここで、発明者の本発明を成すための実験、検討の結果について説明を行えば、前記冷陰極蛍光放電管１の長さが長くなるほどに、実装時の状態、例えば、配線の引き回しなどにより浮遊容量ＳＣなど回路条件が影響を受けやすく、前記冷陰極蛍光放電管１の両端に条件の差を生じやすくなり、特に、アース間との浮遊容量ＳＣなどに差を生じやすいものとなることが判明した。
【００１２】
また、インバータ３、４の二次巻線の巻数が増加したことも、上記した前記冷陰極蛍光放電管１の両端におけるバランスの相違に拍車をかけるものとなり、上記した浮遊容量ＳＣの相違に加えてインダクタンスの相違も加わり、前記冷陰極蛍光放電管１の位相差、および、電圧差は、ますます拡大する方向となり、この結果、例えば、冷陰極蛍光放電管１の両端における明暗差が大きくなる。
【００１３】
この状況を示すものが図２であり、二次側の電圧波形ＮＶ１とＮＶ２との比は（９２１Ｖ／５６８Ｖ≒１．６倍）であり、明らかに前記冷陰極蛍光放電管１の一方が暗くなる。加えて、位相がズレている場合には、上記の計算値以上の明暗差を生じる可能性も生じる。尚、図２、および、図３では位相のズレを容易に比較しやすいように、一方の波形の正負を反転している。
【００１４】
また、上記二次側の波形の下方に記載されているものは一次巻線に印加されている電圧であり、図からも明らかなように、正確な電圧と、正確な位相で駆動されているものであり、よって、二次巻線に生じる電位差、位相の狂いは、前記冷陰極蛍光放電管１の長尺化、および、二次巻線の巻数の増加に起因する容量変化などによると考えられるものである。
【００１５】
そこで、本発明では、インバータ３、４の二次巻線の出力とアース間、即ち、前記冷陰極蛍光放電管１の第一端子１ａとアース間、および、第二端子１ｂとアース間とに予めにコンデンサ５を取付けておくものであり、このときの前記コンデンサ５の容量は、主として前記冷陰極蛍光放電管１の長さによって定められるが、発明者の実験の結果によれば、現在、市場に供給されている大きさの液晶表示装置に対する適正値は１０〜２２pFであった。
【００１６】
図３は、上記のように、コンデンサ５を付加した本発明の出力波形を示すものであり、二次側の電圧波形Ｖ１およびＶ２は、両者共に位相がほぼ完全に一致するものとなり、また電圧もほぼ同一（７２８Ｖ／６５１Ｖ≒１．１倍）となるので、店頭、或いは、家庭内に設置した状態で視覚で鑑賞するような通常の使用条件では、左右の明るさの相違に対する明暗差を感じることはない。
【００１７】
ここで、上記コンデンサ５の容量を定めるときには、例えば、前記冷陰極蛍光放電管１の長さＬ、或いは、機種などにより、取付方法が異なり、生じる浮遊容量ＳＣも様々であることが予想されるので、試作時など当初は、前記冷陰極蛍光放電管１の実際の取付け状態において、容量の設定を行うことが好ましく、この設定に基づいて量産時に取付ける容量を設定する。
【００１８】
尚、前記冷陰極蛍光放電管１の一方に端子１ａとアース間、および、他方の端子１ｂとアース間とに取付けるコンデンサ５は、必ずしも双方が同一である必要はなく、要は、上記に説明したように前記冷陰極蛍光放電管１の両端が視覚で同一の明るさとして感じられる範囲であればよいものである。
【００１９】
また、本発明は、図４に示すように、いわゆるＵ字管と称されて略Ｕ字状に曲げられたガラス管が採用され、冷陰極蛍光放電管１の、第一端子１ａと第二端子１ｂとが同一方向に設けられた冷陰極蛍光放電管１に使用可能とするように、二次巻線に中間点Ｐが設けられ、この中間点Ｐを接地し、二次巻線の両端を、夫々に第一端子１ａと第二端子１ｂとに接続する構成とした三端子型インバータ６にも採用できるものである。
【００２０】
以上に説明したように、本発明により、冷陰極蛍光放電管１の一方に端子１ａとアース間、および、他方の端子１ｂとアース間とに、冷陰極蛍光放電管１の長さなどに応じて生じる浮遊容量ＳＣの影響を受けない程度の容量としたコンデンサ５を予めに取付けておくことで、例えば、大型化したときの液晶テレビの画面に明暗差を生じないものとすることができ、画質の向上などが可能となる。
【図面の簡単な説明】
【００２１】
【図１】本発明に係る冷陰極蛍光放電管点灯装置の実施例を示す略示的な回路図である。
【図２】冷陰極蛍光放電管の長さを長尺としたときの、双方の端子に印加される電圧波形を示すグラフである。
【図３】本発明により長尺とした冷陰極蛍光放電管の端子とアース間にコンデンサを接続したときの電圧波形を示すグラフである。
【図４】本発明に係る冷陰極蛍光放電管点灯装置の別の実施例を示す略示的な回路図である。
【図５】従来例を示す略示的な回路図である。
【図６】この種の点灯装置における冷陰極蛍光放電管に印加される電圧波形の例を示す説明図である。
【符号の説明】
【００２２】
１…冷陰極蛍光放電管
１ａ…第一端子
１ｂ…第二端子
２…点灯装置
３…第一のインバータ
４…第二のインバータ
５…コンデンサ
６…三端子型インバータ
【図１】
2007242360.tif 000003
【図２】
2007242360.tif 000004
【図３】
2007242360.tif 000005
【図４】
2007242360.tif 000006
【図５】
2007242360.tif 000007
【図６】
2007242360.tif 000008